(57)【要約】  【課題】  薄型表示装置のチルトヒンジ機構を部品に分解可能にして原材料ごとのリサイクルを可能にする。  【解決手段】  スタンド上端に支持された樹脂製のナックル本体６と、ナックル本体６の両側に突設された１対の金属製のヒンジピン３，４と、ヒンジピン３，４に回動自在に嵌合されるピン孔が上端側面に形成されるとともに基端部が表示画面を有する本体部側に取り付けられた１対の金属製のブラケット１，２とから構成されるチルトヒンジ機構を備えた薄型表示装置において、断面コ字形をした板金金具３ａ，４ａの中間部外側にヒンジピン３，４の基端部を一体的に取り付けるとともに、板金金具３ａ，４ａをナックル本体６の側端に前後から挟み込んだ後、板金金具３ａ，４ａの前後からビス止めして板金金具３ａ，４ａをナックル本体６に取り外し可能に固定する。【選択図】  図４
2005242269.tif 000002
【特許請求の範囲】
【請求項１】
表示画面を有する本体部が上下方向の回動を可能にするチルトヒンジ機構を介してスタンドに取り付けられた薄型表示装置において、
前記チルトヒンジ機構を構成する金属製ヒンジピンの基端部を、該ヒンジピンを支持固定する樹脂製のスタンド上端部にビスを用いて取り外し可能に固定したことを特徴とする薄型表示装置。
【請求項２】
スタンド上端に支持された樹脂製のナックルと、該ナックルの両側に突設された１対の金属製のヒンジピンと、該ヒンジピンに回動自在に嵌合されるピン孔が上端側面に形成されるとともに基端部が表示画面を有する本体部側に取り付けられた１対の金属製のブラケットとから構成されるチルトヒンジ機構を備えた薄型表示装置において、
断面コ字形をした板金金具の中間部外側に前記ヒンジピンの基端部を一体的に取り付けるとともに、前記板金金具を前記ナックルの側端に前後から挟み込んだ後、板金金具の前後からビス止めして板金金具をナックルに取り外し可能に固定したことを特徴とする薄型表示装置。
【請求項３】
請求項２に記載の薄型表示装置において、
前記ナックルの前後にナックルを覆う２つ割り構造の樹脂製の化粧カバーをビスを用いて取り外し可能に取り付けたことを特徴とする薄型表示装置。
【請求項４】
請求項２または３に記載の薄型表示装置において、
前記ナックルの下面とスタンド上端との間にナックルを水平方向回動可能に支持するスイベルヒンジ機構を配設したことを特徴とする薄型表示装置。
【請求項５】
請求項４に記載の薄型表示装置において、
前記スイベルヒンジ機構として、金属製フランジの下面中央に金属製ピンを垂設したヒンジピン金具を前記ナックルの下面にビスを用いて取り外し可能に固定したことを特徴とする薄型表示装置。
【発明の詳細な説明】
【技術分野】
【０００１】
本発明は、液晶テレビ等の薄型表示装置に関し、詳しくは本体がスタンドに支持されて左右方向および上下方向に首振り調節が可能なヒンジ機構を備えた薄型表示装置に関する。
【背景技術】
【０００２】
従来、携帯可能な自立型の液晶テレビでは、図１０に示されるように、ハンドル１を兼ねたスタンド２が液晶テレビ本体（図示せず）の背面に取り付けられていた。このスタンド２の上部には、水平方向の首振りを可能にするスイベルヒンジ機構３が設けられ、さらにその上方に上下方向の首振りを可能にするチルトヒンジ機構４が設けられていた。チルトヒンジ機構４は、スイベルヒンジ機構３の上部のナックル５の両側からそれぞれヒンジピン（図示せず）を左右方向同一軸心上に突出させて、それら両ヒンジピンにＬ型のブラケット（図示せず）のピン孔を両側から嵌合して回動自在に支持していた。これらブラケットはハンドル１に一体的に固定されているので、ブラケットが回動することにより、ハンドル１に支持された液晶テレビ本体の画面の角度を上下方向に調整することが可能になる。なお、テレビを水平方向および上下方向に傾けることを可能にした機構としては、特許文献１に記載の装置が知られている。
【特許文献１】特開平１１−２７６５３０号公報
【発明の開示】
【発明が解決しようとする課題】
【０００３】
上述したように、液晶テレビに取り付けられたチルトヒンジ機構は、ナックル５に突設されたヒンジピンとそれに嵌合されたブラケットにより構成されている。通常、ナックル５は、強度を確保しながらも重量を軽くするため、樹脂が用いられている。また、ナックル５に突設されるヒンジピンは強度と耐久性を得るために鋼材が用いられている。このナックル５へのヒンジピンの取り付けは、従来、作業効率の面から、ナックル５に形成した穴にヒンジピンを挿入してカシメ加工を施して固定していた。そのため、カシメ後のナックル５とヒンジピンの分解はそのままでは不可能であった。ところで、近年の趨勢として、製品としての寿命が尽きた後に液晶テレビを廃棄する場合、部品に分解して再利用することが行われるようになってきった。そのため、従来は分解が略不可能であったチルトヒンジ機構についても、今後は分解して材料ごとに再利用することが必要となってきた。そこで、本発明は、薄型表示装置のチルトヒンジ機構におけるナックルとヒンジピンを分解可能にして再利用可能にすることを目的とした。
【課題を解決するための手段】
【０００４】
上記課題を解決するために、本発明は、表示画面を有する本体部が上下方向の回動を可能にするチルトヒンジ機構を介してスタンドに取り付けられた薄型表示装置において、前記チルトヒンジ機構を構成する金属製ヒンジピンの基端部を、該ヒンジピンを支持固定する樹脂製のスタンド上端部にビスを用いて取り外し可能に固定したことを特徴とする。
詳しくは、スタンド上端に支持された樹脂製のナックルと、該ナックルの両側に突設された１対の金属製のヒンジピンと、該ヒンジピンに回動自在に嵌合されるピン孔が上端側面に形成されるとともに基端部が表示画面を有する本体部側に取り付けられた１対の金属製のブラケットとから構成されるチルトヒンジ機構を備えた薄型表示装置において、断面コ字形をした板金金具の中間部外側に前記ヒンジピンの基端部を一体的に取り付けるとともに、前記板金金具を前記ナックルの側端に前後から挟み込んだ後、板金金具の前後からビス止めして板金金具をナックルに取り外し可能に固定したことを特徴とする。
ここで、前記ナックルの前後にナックルを覆う２つ割り構造の樹脂製の化粧カバーをビスを用いて取り外し可能に取り付けることが好ましい。
また、前記ナックルの下面とスタンド上端との間にナックルを水平方向回動可能に支持するスイベルヒンジ機構を配設することが可能である。
さらには、前記スイベルヒンジ機構として、金属製フランジの下面中央に金属製ピンを垂設したヒンジピン金具を前記ナックルの下面にビスを用いて取り外し可能に固定することが可能である。
【発明の効果】
【０００５】
以上述べたように本発明によれば、薄型表示装置におけるチルトヒンジ機構を構成する金属製ヒンジピンの基端部を、そのヒンジピンを支持固定する樹脂製のナックルにビスを用いて取り外し可能に固定したことで、薄型表示装置を廃棄する際に、金属製のヒンジピンと樹脂製のナックルを分解して、それぞれをリサイクルすることが可能となる。
【発明を実施するための最良の形態】
【０００６】
以下、図に基づいて本発明の実施形態を説明する。
図１は本発明を液晶テレビに適用した場合に液晶テレビ本体とスタンドとの間に取り付けられるスイベルヒンジ機構の上側部分とチルトヒンジ機構の正面図であり、図２は図１の右側面図であり、図３は図１の底面図であり、図４は図１の背面図であって手前側の化粧カバーを外した状態を示し、図５は図１のＡ−Ａ線断面図であり、図６はナックル本体の外観図であり、図７および図８は化粧カバーの外観図であり、図９は分解斜視図である。
【０００７】
図１〜図５に示されるように、チルトヒンジ機構は、液晶テレビ本体側（図示せず）に取り付けられる断面Ｌ型をした左右１対の金属製のブラケット１，２と、このブラケット１，２の立ち上がり部に形成されているピン孔（図示せず）に嵌合された左右１対の金属製のヒンジピン３，４と、このヒンジピン３，４を支持するナックル５とから構成される。ナックル５は樹脂製のナックル本体６に前後から樹脂製の化粧カバー７，８が覆われたものである。また、ナックル本体６の下面には、スイベルヒンジ機構の上部を構成する金属製のヒンジピン金具９がそのフランジ部９ａの部分で４本のビス１１によりナックル本体６の穴６ｒ〜６ｕ（図６に表示）に取り外し可能に螺着されている。
【０００８】
ヒンジピン金具９の下面中央には、先端に雄ねじが形成されたピン部９ｂが垂設され、図示しないスタンドの上端に挿入され回動自在かつ取り外し可能に螺着される。フランジ部９ａの下面前後端には、ストッパー９ｃ，９ｄが突設されて、図示しないスタンド上端に係合されて、ヒンジピン金具９の回動範囲を一定角度内（図示例は５０度以内）に規制する。ブラケット１，２は、それぞれ取付孔１ａ，２ａにビスを挿通して、液晶テレビ本体（図示せず）の裏側に取り外し可能に螺着されている。
【０００９】
図２〜図３に示されるように、ヒンジピン３，４とブラケット１，２との間には、ねじりコイルばね１３，１４がそれぞれ装着されて、図２において、液晶テレビ本体に取り付けられているブラケット１，２を反時計方向に回動させる際に、ブラケット１，２とナックル本体６との間に抵抗を発生させて、液晶テレビ本体を下方に傾ける際の、重量の影響を相殺するようにしている。
【００１０】
図４に示されるように、ヒンジピン３，４の基端部は、金属板を断面コ字形に折曲した板金金具部３ａ，４ａの中間部外側に圧入、カシメ、溶接等により一体的に固定されている。板金金具部３ａ，４ａは、ナックル本体６の前後に形成されている凹溝６ａ〜６ｄ（図６に図示）に挿入されてからビス１５，１６によりナックル本体６の穴６ｎ〜６ｑに取り外し可能に螺着される。ナックル本体６にヒンジピン３，４が固定された後に、化粧カバー７，８が前後からナックル本体６に取り付けられる。
【００１１】
図５に示されるように、後側の化粧カバー８は、ナックル本体６の孔６ｅに前方から挿入されたビス１７がボス部８ａ（図８に図示）に螺合することでナックル本体６に取り外し可能に固定される。また、化粧カバー８の内側に突設された突起８ｂ，８ｃは、ナックル本体６に形成された孔６ｆ，６ｇに挿入される。化粧カバー８の内側上下の両端には、化粧カバー７に係合するための爪８ｄ〜８ｇが突設されている。
【００１２】
次に、前側の化粧カバー７は、ナックル本体６に前方から押しつけて、その内側上下両端に形成された爪受け７ａ〜７ｄに、化粧カバー８の爪８ｄ〜８ｇを係合させることで、化粧カバー８に装着される。次に、化粧カバー７の下部外側から段付孔７ｅ，７ｆにビス１８，１９を挿入して、ナックル本体６の孔６ｈ，６ｉに螺合することで、化粧カバー７がナックル本体６に取り外し可能に固定される。
【００１３】
図９は、これら各部品の相互の位置関係および組立手順を示し、ナックル本体６に左右から、ブラケット１，２に取り付けられたヒンジピン３，４が組み込まれて前後からビス止めされる。次に、ナックル本体６に下方からヒンジピン金具９が当接されてビス止めされる。次に、ナックル本体６の前面に化粧カバー７が被せられてビス止めされる。同時に、ナックル本体６の後面に化粧カバー８が被せられてビス止めされる。また、機器の寿命が尽きて廃棄する場合は、上述した逆の順番で、先ず、樹脂製の化粧カバー７および化粧カバー８をビスを緩めることで外す。次いで、ナックル本体６から金属製のヒンジピン３，４およびブラケット１，２をビスを緩めることで外す。さらに、ナックル本体６の下部から金属製のヒンジピン金具９をビスを緩めることで外す。このようにして、樹脂製のナックル本体６および化粧カバー７，８と、金属製のブラケット１，２、ヒンジピン３，４およびヒンジピン金具９とを確実に分離可能となり、これら廃棄部品のリサイクルが可能となる。
【００１４】
なお、図１および図２に示されるように、ブラケット１，２には、ヒンジピン３，４の上方部と下方部をナックル５側に折曲してストッパー１ｂ，１ｃ、ストッパー２ｂ，２ｃが形成されており、このストッパー１ｂ，１ｃ、ストッパー２ｂ，２ｃが、ナックル本体６の凹溝６ｊ〜６ｍに係合されて、ブラケット１，２の回動範囲を一定角度内（図示例は１５度以内）に規制する。
【００１５】
このように、液晶テレビを支えるスイベルヒンジ機構およびチルトヒンジ機構を構成したことで、液晶テレビの製品としての寿命が尽きて廃棄する場合は、先ず、ピン部９ｂを外してスイベルヒンジ機構を分解する。次に、ビス１１を外して、金属製のヒンジピン金具９をナックル本体６から取り除く。次いで、ビス１８，１９およびビス１７を外して、樹脂製の化粧カバー７，８をナックル本体６から取り除く。次に、ビス１５，１６を外して、金属製のヒンジピン３，４およびブラケット１，２をナックル本体６から取り除くことにより、樹脂だけのナックル本体６を取り出すことが可能となる。こうして分解された各部品はその原料の種類に応じてリサイクルすることが可能となる。
【産業上の利用可能性】
【００１６】
本発明は、液晶テレビ以外に、ＰＤＰ、ＳＥＤ、エレクトロ・ルミネッセンス・ディスプレイ、フィールド・エミッション・ディスプレイ等の薄型表示装置についても利用可能である。
【図面の簡単な説明】
【００１７】
【図１】本発明を液晶テレビに適用した場合のスイベルヒンジ機構の上側部分とチルトヒンジ機構の正面図である。
【図２】図１の右側面図である。
【図３】図１の底面図である。
【図４】図１の背面図である。
【図５】図１のＡ−Ａ線断面図である。
【図６】ナックル本体の外観図である。
【図７】前の化粧カバーの外観図である。
【図８】後の化粧カバーの外観図である。
【図９】組立手順を示す分解斜視図である。
【図１０】従来例を示す斜視図である。
【符号の説明】
【００１８】
１  ブラケット
１ａ  取付孔
１ｂ，１ｃ  ストッパー
２  ブラケット
２ａ  取付孔
２ｂ，２ｃ  ストッパー
３  ヒンジピン
３ａ  板金金具部
４  ヒンジピン
４ａ  板金金具部
５  ナックル
６  ナックル本体
６ａ〜６ｄ  凹溝
６ｅ〜６ｉ  孔
６ｊ〜６ｍ  凹溝
６ｎ〜６ｕ  穴
７  化粧カバー
７ａ〜７ｄ  爪受け
７ｅ，７ｆ  段付孔
８  化粧カバー
８ａ  ボス部
８ｂ，８ｃ  突起
８ｄ〜８ｇ  爪
９  ヒンジピン金具
９ａ  フランジ部
９ｂ  ピン部
９ｃ，９ｄ  ストッパー
１１  ビス
１３，１４  ねじりコイルばね
１５〜１９  ビス
【図１】
2005242269.tif 000003
【図２】
2005242269.tif 000004
【図３】
2005242269.tif 000005
【図４】
2005242269.tif 000006
【図５】
2005242269.tif 000007
【図６】
2005242269.tif 000008
【図７】
2005242269.tif 000009
【図８】
2005242269.tif 000010
【図９】
2005242269.tif 000011
【図１０】
2005242269.tif 000012